(57)【特許請求の範囲】
【請求項１】
メモリ機能及び拡張機能を有し、使用する機能の組み合わせによって内部で消費される電流値を所定のアドレスのエリアに記載したレジスタが設けられた電子装置と、メモリ機能のみを有し、前記エリアに内部で消費される電流値が記載されていないレジスタが設けられた電子装置とのいずれもが着脱自在に設けられ、装着された電子装置との間で任意のデータの交換を行うと共に、装着された電子装置の機能を実行させる電子装置を使用する機器であって、
装着された電子装置に設けられたレジスタの前記エリアから電流値を読み出す手段と、
前記エリアから読み出された電流値が、当該機器の仕様通りであるか、または前記仕様通りではないが供給可能であり且つ０でない場合は、読み出された電流値に従った駆動電流を前記電子装置に供給し、前記エリアから読み出された電流値が、前記仕様通りでなく且つ供給不可能であるか、または０である場合は、前記仕様通りの電流値に従った駆動電流を前記電子装置に供給する手段とを有する
電子装置を使用する機器。
【請求項２】
請求項１記載の電子装置を使用する機器において、
前記駆動電流の供給の可否を示す情報を、前記メモリ機能及び拡張機能を有する前記電子装置の前記レジスタの所定のアドレスのエリアに記入する手段を有する
電子装置を使用する機器。
【請求項３】
請求項２記載の電子装置を使用する機器において、
前記駆動電流の供給の可否に従って前記メモリ機能及び拡張機能を有する前記電子装置で実行される機能の有効無効を示す情報を、前記レジスタの所定のアドレスのエリアから読み出す手段を有する
電子装置を使用する機器。
【発明の詳細な説明】
【０００１】
本発明は、例えば本体機器に対して着脱自在に設けられて任意の機能を行う機器に使用して好適な電子装置を使用する機器に関する。詳しくはメモリカード装置、あるいはそれに類似する半導体メモリ装置と同等の形状を有し、これらの装置の接続部に接続されて任意の機能を実行する電子装置を使用する機器に関するものである。
【０００２】
【従来の技術】
例えば本体機器に対して着脱自在に設けられるメモリカード装置、あるいはそれに類似する半導体メモリ装置と同等の形状を有し、本体機器のこれらのメモリ装置等の接続部に接続されて任意の機能を実行する電子装置が提案されている。すなわちこのような電子装置においては、例えばコンピュータネットワークへの接続機能や外部との通信機能を持たせることによって、本体機器の運用や用途を容易に拡張することができるようになるものである。
【０００３】
【発明が解決しようとする課題】
ところがこのような電子装置において、電子装置に設けられる機能によって、その機能が実行された場合の消費電流が大幅に変化する。すなわち例えば上述のコンピュータネットワークへの接続機能や外部との通信機能を実行する場合には、従来のメモリ機能のみの場合に比べて数倍の消費電流が必要とされるものである。そこで例えばこのような大きな消費電流の必要とされる電子装置が、従来のメモリ機能のみを想定した本体機器に装着されると、過大な電流が流されて内蔵電池が短時間で消耗されたり、電源電圧が低下されて機能が実行できなくなったり、最悪の場合には本体機器の破損の恐れなども生じるものである。
【０００４】
このため従来の装置では、例えば電子装置と本体機器との接続部の形状を、メモリ機能のみの場合と大きな消費電流を必要とされる場合とで違えて、消費電流の異なる電子装置が装着されないようにすることが行われている。しかしながらこのような対策では、接続部の形状を違えるための構造の形成が容易ではなく、また将来より大きな消費電力の電子装置が形成された場合には、さらに形状を違えた構造が必要になるなど、抜本的な解決にはならないものである。
【０００５】
この出願はこのような点に鑑みて成されたものであって、解決しようとする問題点は、従来の装置では、消費電流の異なる電子装置を本体機器に装着して使用する場合に、過大な電流の発生によって内蔵電池が短時間で消耗されたり、電源電圧の低下によって機能が実行できなくなったり、最悪の場合には本体機器の破損なども生じる恐れがあり、また消費電流に応じて接続部の形状を違えるような対策では抜本的な解決にはならなかったというものである。
【０００６】
【課題を解決するための手段】
このため本発明においては、メモリ機能及び拡張機能を有し、使用する機能の組み合わせによって内部で消費される電流値を所定のアドレスのエリアに記載したレジスタが設けられた電子装置と、メモリ機能のみを有し、前記エリアに内部で消費される電流値が記載されていないレジスタが設けられた電子装置とのいずれもが着脱自在に設けられ、装着された電子装置との間で任意のデータの交換を行うと共に、装着された電子装置の機能を実行させる電子装置を使用する機器であって、
装着された電子装置に設けられたレジスタの前記エリアから電流値を読み出す手段と、
前記エリアから読み出された電流値が、当該機器の仕様通りであるか、または前記仕様通りではないが供給可能であり且つ０でない場合は、読み出された電流値に従った駆動電流を前記電子装置に供給し、前記エリアから読み出された電流値が、前記仕様通りでなく且つ供給不可能であるか、または０である場合は、前記仕様通りの電流値に従った駆動電流を前記電子装置に供給する手段とを有してなるものである。
【０００７】
【発明の実施の形態】
以下、図面を参照して本発明を説明するに、
1243313796828_0
は本発明を適用した一の実施形態である電子装置と、他の実施形態である電子装置を使用する機器の構成を示すブロック図である。
【００１０】
図１において、図面の左側は電子装置を使用する機器としての本体機器１００を示す。この本体機器１００には、メインメモリ（図示せず）等に記憶されたデータファイルを入出力するファイルマネージャー１０が設けられ、このファイルマネージャー１０のデータがメモリ用の通信プロトコル回路１１を通じてシリアルインターフェース１２と交換される。また、任意の拡張機能を実行するためのドライバー１３が設けられ、このドライバー１３のデータが拡張機能用の通信プロトコル回路１４を通じてシリアルインターフェース１２と交換される。
【００１１】
さらにこのシリアルインターフェース１２の入出力端子が接続部のそれぞれ所定の接点に接続される。また、電源装置１５からの電源ＶＣＣ及びＶＳＳが接続部のそれぞれ所定の接点に接続される。すなわちこの接続部には、例えば１０個の接点１０１〜１１０が設けられる。そしてこの内の接点１０１には電源ＶＳＳが接続される。また接点１０２には電源ＶＣＣが接続される。さらに接点１０３にはシリアルインターフェース１２からのシリアルデータクロック（ＳＣＬＫ）が接続される。
【００１２】
また、接点１０４にはシリアルインターフェース１２の拡張機能用のシリアルデータ入出力（ＳＤＩＯ）が接続される。さらに接点１０５には電子装置の装着の有無を検出する端子ＩＮＳが接続される。また接点１０６は未使用である。さらに接点１０７にはシリアルインターフェース１２のメモリ機能用のシリアルデータ入出力（ＳＤＩＯ）が接続される。また接点１０８には電源ＶＣＣが接続される。さらに接点１０９にはシリアルインターフェース１２のバスステイタス出力（ＢＳ）が接続される。また接点１１０には電源ＶＳＳが接続される。
【００１３】
一方、図面の右側は電子装置２００を示す。この電子装置２００は、例えば図２に示すようにいわゆるメモリカード装置、あるいはそれに類似する半導体メモリ装置と同等の形状を有している。そしてこの電子装置２００が本体機器１００に対して着脱自在に設けられると共に、その端部に形成される接点群２０１を介して、上述の本体機器１００の接点１０１〜１１０に電気的に接続されるものである。これによって、本体機器１００と電子装置２００との間での電源の供給及びデータの交換が行われる。
【００１４】
すなわち図１においては、電子装置２００に設けられるシリアルインターフェース２０と本体機器１００に設けられるシリアルインターフェース１２との間でデータの交換が行われる。さらにこのシリアルインターフェース２０とレジスタ２１及びページバッファ２２との間でデータの交換が行われる。そしてこのページバッファ２２に拡張機能のインターフェース２３が接続されて、例えばコンピュータネットワーク（ＬＡＮ：Ｌｏｃａｌ  Ａｒｅａ  Ｎｅｔｗｏｔｋ）への接続機能や外部との通信機能を実行するためのデータの交換が行われる。
【００１５】
また、上述のページバッファ２２にはメモリ機能のインターフェース２４が接続されて、例えばフラッシュメモリ２５の書き込み及び読み出しを行うためのデータの交換が行われる。なおページバッファ２２の一部には、フラッシュメモリ２５に書き込まれるデータに誤り検出コード（ＥＣＣ）を付加するためのＥＣＣ回路２２ｅが設けられる。そしてこのＥＣＣ回路２２ｅで発生された誤り検出コードがインターフェース２４に供給されて、上述のデータと共にフラッシュメモリ２５に書き込まれる。
【００１６】
さらに電子装置２００には、属性メモリ（ＲＯＭ）２６が設けられる。この属性メモリ２６には電子装置２００のヴァージョン番号や初期設定値が記憶されているものである。そしてこの電子装置２００が本体機器１００の装着されると、最初にこの属性メモリ２６のヴァージョン番号が本体機器１００に読み出され、この本体機器１００からのヴァージョン番号に従ったコマンドによって電子装置２００の初期設定が行われる。この初期設定によって、例えばレジスタ２１の所定のエリアに、電子装置２００の内部で消費される電流値が記載される。
【００１７】
ここでレジスタ２１には、例えば図３に示すように複数のアドレスが設けられ、各アドレスは例えば８ビットずつの読み出しエリアと書き込みエリアで構成される。そして例えばアドレス“０３”（“−−”は１６進値を示す）の読み出しエリアが電流値の記載エリアとされ、例えば“００”〜“ＦＦ”の値で電流値が記載される。また、同じアドレス“０３”の書き込みエリアは制御信号の記載エリアとされ、例えば第４ビットが電流使用許可ビット（１：使用可、０：使用不可）とされ、第８ビットが機能有効化ビット（１：機能有効、０：機能無効）とされる。なお、他のアドレスには初期値等が記載される。
【００１８】
また、電子装置２００には振動子２７が設けられ、この振動子２７からの信号が発振器２８に供給されて内部の動作クロック信号が発生される。そしてこのクロック信号が電子装置２００内の各回路に供給される。さらにスイッチ２９はフラッシュメモリ２５に書き込まれたデータが誤って書き換えられるのを防ぐためのもので、例えば図示のように電源ＶＣＣ側に接続されているときはデータの書き込みが許可され、逆に接地側に接続されているときは書き込みが禁止されて、誤ってデータが書き換えられるのを防ぐことができる。
【００１９】
さらに上述の本体機器１００で電源ＶＣＣが接続される接点１０２、１０８に対応する電子装置２００側の接点は互いに接続されて電子装置２００の電源部とされる。すなわちこれらの接点１０２、１０８に対応する接点の接続中点が、電子装置２００の各回路の電源ＶＣＣに接続される。ただし、例えば拡張機能のインターフェース２３とメモリ機能のインターフェース２４には、それぞれ電源制御回路２３ｐと２４ｐを通じて電源ＶＣＣが接続され、これらの制御回路２３ｐと２４ｐがレジスタ２１に記入される値に従って制御される。
【００２０】
また、上述の本体機器１００で電源ＶＳＳが接続される接点１０１、１１０に対応する電子装置２００側の接点は互いに接続されて電子装置２００の接地部とされると共に、この接地部に接点１０５に対応する接点が接続される。これによって、例えば本体機器１００で接点１０５に任意の電位を与えておくことにより電子装置２００が装着されると接点１０５の電位が接地電位となり、この電位の変化を検出することで本体機器１００側で電子装置２００の装着の有無を検出することができる。
【００２１】
そしてこのような本体機器１００及び電子装置２００に対して、図４は電子装置２００が単機能の場合に、機能が開始されるまでの処理の流れを示す。なお図４のＡは本体機器１００側の処理を示し、Ｂは電子装置２００側の処理を示している。この図４のＡにおいて、ステップ〔Ａ１〕で電子装置２００のレジスタ２１に記載された電流値が読み出される。次にステップ〔Ａ２〕でこの電流値が本体機器１００の仕様通りか否か判断され、仕様通りでないと判断されたとき（Ｎｏ）はさらにステップ〔Ａ３〕で電流供給が可能か否か判断される。
【００２２】
さらにステップ〔Ａ３〕で電流供給が不可と判断されたとき（Ｎｏ）は、ステップ〔Ａ４〕で電子装置２００のレジスタ２１のアドレス“０３”の第４ビットに電流使用不可（０）を記入し、ステップ〔Ａ５〕で電子装置２００が使用できないことを使用者に告知する。またステップ〔Ａ３〕で電流供給が可能と判断されたとき（Ｙｅｓ）、及びステップ〔Ａ２〕で仕様通りであると判断されたとき（Ｙｅｓ）は、ステップ〔Ａ６〕で電子装置２００のレジスタ２１のアドレス“０３”の第４ビットに電流使用可（１）を記入する。
【００２３】
これに対して図４のＢにおいては、ステップ〔Ｂ１〕でレジスタ２１のアドレス“０３”の第４ビットが読み出される。さらにステップ〔Ｂ２〕でこの第４ビットの値に応じて電流供給が可能か否か判断される。すなわち第４ビットが値（１）のときは電流供給が可能と判断され、第４ビットが値（０）のときは電流供給が不可と判断される。そしてステップ〔Ｂ２〕で電流供給が不可と判断されたとき（Ｎｏ）は、ステップ〔Ｂ３〕でレジスタ２１のアドレス“０３”の第８ビットに機能無効（０）のままにされ、電子装置２００は不動作にされる。
【００２４】
一方、ステップ〔Ｂ２〕で電流供給が可能と判断されたとき（Ｙｅｓ）は、ステップ〔Ｂ４〕でレジスタ２１のアドレス“０３”の第８ビットに機能有効（１）が記入される。さらに図４のＡのステップ〔Ａ７〕でレジスタ２１の第８ビットが機能有効（１）になったことが確認されると、ステップ〔Ａ８〕でステップ〔Ａ１〕で読み出された電流値に従った要求電流が、電源ＶＣＣの接続される接点１０２、１０８及び電源ＶＳＳの接続される接点１０１、１１０に供給される。そして図４のＢのステップ〔Ｂ５〕で電子装置２００の動作が開始される。
【００２５】
すなわちレジスタ２１のアドレス“０３”には、最初に例えば図５のＡに示すように読み出しエリアに電子装置２００で要求される電流値が１６進値で記載される。なお、図示の値は“４１”＝６５ｍＡである。これに対してこの電流値が本体機器１００から供給可能であるときは、図５のＢに示すように書き込みエリアの第４ビットの電流使用許可ビットが（１）にされる。さらに電子装置２００で電流使用許可ビットが確認されて機能が有効にされると、図５のＣに示すように書き込みエリアの第８ビットの機能有効化ビットが（１）にされる。
【００２６】
このようにして、電子装置２００で要求される電流値が本体機器１００で確認され、この電流値が本体機器１００から供給可能であるときは電子装置２００で機能が動作されると共に、電流値が本体機器１００から供給できないときは、電子装置２００の機能が動作されないようにすることができる。これによって、過大な電流が流されて本体機器１００の内蔵電池が短時間で消耗されたり、電源電圧が低下されて機能が実行できなくなったり、最悪の場合には本体機器１００の破損するなどの恐れを解消することができるものである。
【００２７】
さらに上述の実施形態において、電子装置２００には複数の機能が設けられている場合には、それらの機能の組み合わせによって要求される消費電流が異なる場合がある。すなわち図６において、例えばメモリ機能とＬＡＮ接続機能、及び通信機能が設けられている場合に、それぞれの機能を単独で使用した場合の消費電流はそれぞれ異なるものであり、さらにそれらの機能の組み合わせて使用した場合の消費電流もそれぞれ組み合わせごとに異なり、例えば３つの機能が設けられている場合には７通りの消費電流が要求されることになる。
【００２８】
従ってこのような場合には、機能の組み合わせによって電流供給ができる場合と、できない場合とが生じることがある。すなわち例えば図６に示すように、メモリ機能の消費電流を６５ｍＡ、ＬＡＮ接続機能の消費電流を１２０ｍＡ、通信機能の消費電流を７０ｍＡとした場合に、それぞれ組み合わせの消費電流は図中に示すようになる。これに対して、本体機器１００から供給可能な電流の最大値を例えば１５０ｍＡとすると、各機能の単独の場合とメモリ機能と通信機能の組み合わせでは電流供給が可能であるが、他の組み合わせは不可となる。
【００２９】
そこで図７には、電子装置２００が複数の機能を有している場合の、機能が開始されるまでの処理の流れを示す。なお図７のＡは本体機器１００側の処理を示し、Ｂは電子装置２００側の処理を示している。そしてこの図７のＡにおいて、ステップ〔Ａ１１〕で拡張機能用のレジスタへの切り換えが行われる。次に、ステップ〔Ａ１２〕で電子装置２００のレジスタ２１に記載された電流値が読み出される。さらにステップ〔Ａ１３〕でこの電流値が本体機器１００の仕様通りか否か判断される。
【００３０】
そしてステップ〔Ａ１３〕で電流値が仕様通りでないと判断されたとき（Ｎｏ）は、さらにステップ〔Ａ１４〕で電流供給が可能か否か判断され、電流供給が不可と判断されたとき（Ｎｏ）は、ステップ〔Ａ１５〕で電子装置２００のレジスタ２１のアドレス“０３”の第４ビットに電流使用不可（０）が記入される。さらにステップ〔Ａ１６〕で電子装置２００の拡張機能が使用できないことが使用者に告知され、ステップ〔Ａ１７〕で電子装置２００をメモリ機能のみとするように本体機器１００側の切り替えが行われる。
【００３１】
またステップ〔Ａ１４〕で電流供給が可能と判断されたとき（Ｙｅｓ）と、ステップ〔Ａ１３〕で仕様通りであると判断されたとき（Ｙｅｓ）は、ステップ〔Ａ１８〕で電子装置２００のレジスタ２１のアドレス“０３”の第４ビットに電流使用可（１）が記入される。このレジスタ２１のアドレス“０３”の第４ビットが図７のＢのステップ〔Ｂ１１〕で読み出される。そしてステップ〔Ｂ１２〕でこの第４ビットの値に応じて電流供給が可能か否か判断される。すなわち第４ビットが値（１）のときは可能、値（０）のときは不可と判断される。
【００３２】
そしてステップ〔Ｂ１２〕で電流供給が可能と判断されたとき（Ｙｅｓ）は、ステップ〔Ｂ１３〕でレジスタ２１のアドレス“０３”の第８ビットに機能有効（１）が記入される。さらに図７のＡのステップ〔Ａ１９〕でレジスタ２１の第８ビットが機能有効（１）になったことが確認されると、ステップ〔Ａ２０〕でステップ〔Ａ１２〕で読み出された電流値に従った要求電流が、接点１０２、１０８及び接点１０１、１１０に供給される。そして図７のＢのステップ〔Ｂ１４〕で電子装置２００の動作が開始される。
【００３３】
さらに図７のＡのステップ〔Ａ１４〕で電流供給が不可と判断されたとき（Ｎｏ）の処理では、ステップ〔Ａ２１〕で仕様通りの電流が接点１０２、１０８及び接点１０１、１１０供給される。そして図７のＢのステップ〔Ｂ１２〕で電流供給が不可と判断されたとき（Ｎｏ）の処理では、レジスタ２１のアドレス“０３”の第８ビットに機能無効（０）のままにされ、ステップ〔Ｂ１５〕で電子装置２００のメモリ機能のみが動作される。これによって本体機器１００側で電流供給が不可のときは、電子装置２００のメモリ機能のみが動作される。
【００３４】
このようにして、電子装置２００で要求される電流値が本体機器１００で確認され、この電流値が本体機器１００から供給可能であるときは電子装置２００で機能が動作されると共に、電流値が本体機器１００から供給できないときは、電子装置２００の供給可能な機能のみが動作されるようにすることができる。これによって、過大な電流が流されて本体機器１００の内蔵電池が短時間で消耗されたり、電源電圧が低下されて機能が実行できなくなったり、最悪の場合には本体機器１００の破損するなどの恐れを解消することができるものである。
【００３５】
従ってこの実施形態において、電子装置に必要な消費電流値を記載したレジスタを設け、このレジスタの値を本体機器が読み出して、それに応じた電流を電子装置に供給することによって、電子装置には常に必要な消費電流が供給されて、電子装置に設けられた所望の機能を円滑に実行することができると共に、消費電流がさらに増加するような場合にも良好に対応することができる。
【００３６】
これによって、従来の装置では、消費電流の異なる電子装置を本体機器に装着して使用する場合に、過大な電流の発生によって内蔵電池が短時間で消耗されたり、電源電圧の低下によって機能が実行できなくなったり、最悪の場合には本体機器の破損なども生じる恐れがあり、また消費電流に応じて接続部の形状を違えるような対策では抜本的な解決にはならなかったものを、本発明によればこれらの問題点を容易に解消することができるものである。
【００３７】
なお上述の実施形態において、例えばレジスタ２１のアドレス“０３”の読み出しエリアに、例えば値“００”＝０ｍＡのように消費電流値としてはあり得ない値が記載されていた場合には、その値を供給電流値とはせずに、仕様通りの電流供給が行われるようにする。これによって、例えば従来仕様のレジスタ２１にアドレス“０３”を持たない電子装置が装着された場合には、仕様通りの電流供給が行われて、例えば従来仕様の電子装置をそのまま使用することができ、従来仕様の電子装置との互換性を持たせることができる。
【００３８】
また上述の実施形態において、例えば接点１０４は拡張機能用のシリアルデータ入出力（ＳＤＩＯ）に用いられるが、この接点１０４は従来仕様のメモリ機能のみの電子装置では未使用になっている。その場合に、この接点１０４を任意の機能が有効とされるまでは高インピーダンスに保ち、その機能が有効になってときのみ導通されることによって、例えば従来仕様のメモリ機能のみの電子装置を対象とした本体機器にこの電子装置が装着されても、不要な電流が流れることの無いようにすることができる。
【００３９】
さらに本発明は、上述の説明した実施の形態に限定されるものではなく、本発明の精神を逸脱することなく種々の変形が可能とされるものである。
【００４０】
【発明の効果】
従って請求項１の発明の電子装置を使用する機器によれば、装着された電子装置に設けられたレジスタの所定のアドレスのエリアから電子装置の内部で消費される電流値を読み出して、それに応じた電流を電子装置に供給することによって、従来の機器では、メモリ機能及び拡張機能を有する電子装置を本体機器に装着して使用する場合に、過大な電流の発生によって内蔵電池が短時間で消耗されたり、電源電圧の低下によって機能が実行できなくなったり、最悪の場合には本体機器の破損なども生じる恐れがあり、また消費電流に応じて接続部の形状を違えるような対策では抜本的な解決にはならなかったものを、本発明によればこれらの問題点を容易に解消することができるものである。
また、レジスタの所定のアドレスのエリアに内部で消費される電流値が記載されていない従来仕様のメモリ機能のみを有する電子装置が装着された場合には、仕様通りの電流供給が行われて、従来仕様の電子装置をそのまま使用することができ、従来仕様の電子装置との互換性を持たせることができるものである。
【００４４】
さらに請求項２の発明によれば、駆動電流の供給の可否を示す情報を、メモリ機能及び拡張機能を有する電子装置のレジスタの所定のアドレスのエリアに記入する手段を有することによって、駆動電流の供給を円滑に行うことができるものである。
【００４５】
さらに請求項３の発明によれば、駆動電流の供給の可否に従ってメモリ機能及び拡張機能を有する電子装置で実行される機能の有効無効を示す情報を、レジスタの所定のアドレスのエリアから読み出す手段を有することによって、機能の実行を円滑に行うことができるものである。
【図面の簡単な説明】
【図１】本発明の適用される電子装置及び本体機器の一実施形態の構成図である。
【図２】本発明の適用される電子装置の一実施形態の外観図である。
【図３】その説明のための線図である。
【図４】その動作の説明のための一の流れ図である。
【図５】その説明のための線図である。
【図６】その説明のための線図である。
【図７】その動作の説明のための他の流れ図である。
【符号の説明】
１００…本体機器、１０…ファイルマネージャー、１１…メモリ機能のプロトコル回路、１２…シリアルインターフェース、１３…任意の拡張機能を実行するためのドライバー、１４…拡張機能のプロトコル回路、１３…電源装置、２００…電子装置、２０…シリアルインターフェース、２１…レジスタ、２２…ページバッファ、２３…拡張機能用インターフェース、２４…メモリ機能用インターフェース、２５…フラッシュメモリ、２６…属性メモリ、２７…振動子、２８…発振器、２９…スイッチ
【図１】
0004378847.tif 000002
【図２】
0004378847.tif 000003
【図３】
0004378847.tif 000004
【図４】
0004378847.tif 000005
【図５】
0004378847.tif 000006
【図６】
0004378847.tif 000007
【図７】
0004378847.tif 000008